(57)【要約】【課題】浴室内の入浴者の有無を精度良く検出し、その検出結果に基づいて浴槽への給湯や加熱を適切に行う省エネルギー性と利便性に優れた給湯機を提供すること。【解決手段】浴槽への湯張りや加熱などの運転操作機能と浴室内における人の存室の有無を検出する赤外線人感センサ８とを有する浴室リモコン９とを備え、前記赤外線人感センサ８は、人体から放射される赤外線を検出するセンシング部１５と、前記センシング部１５を覆い赤外線透過性材料で形成したレンズ部１６とを有し、前記浴室リモコン９の筐体９ａを前記レンズ部１６とは異なる材料で形成したことを特徴とするもので、入浴者の有無を簡単な構成で精度よく検出でき、製品の低コスト化を図ることができる。【選択図】図３
2010216788.tif 000002
【特許請求の範囲】
【請求項１】
浴槽と、前記浴槽内の湯水を加熱する浴槽加熱手段と、前記浴槽への湯張りや加熱などの運転操作機能と浴室内における人の存室の有無を検出する赤外線人感センサとを有する浴室リモコンとを備え、前記赤外線人感センサは、人体から放射される赤外線を検出するセンシング部と、前記センシング部を覆い赤外線透過性材料で形成したレンズ部とを有し、前記浴室リモコンの筐体を前記レンズ部とは異なる材料で形成したことを特徴とする給湯機。
【請求項２】
貯湯槽と、前記貯湯槽の湯水を加熱する貯湯槽加熱手段とを備え、浴槽加熱手段は、前記貯湯槽内の湯と前記浴槽内の湯水との熱交換する熱交換であることを特徴とする請求項１に記載の給湯機。
【請求項３】
貯湯槽加熱手段として、ヒートポンプサイクルを用いたことを特徴とする請求項２に記載の給湯機。
【請求項４】
ヒートポンプサイクルは、運転時、超臨界圧力に昇圧される超臨界冷媒回路であることを特徴とする請求項３に記載の給湯機。
【請求項５】
ヒートポンプサイクルの冷媒が二酸化炭素であることを特徴とする請求項３または４に記載の給湯機。
【発明の詳細な説明】
【技術分野】
【０００１】
本発明は、浴槽への湯張りや浴槽内の水を加熱する機能を有し、浴室における人の在室の有無を検出する人感センサを浴室リモコン内に備えた給湯機に関する。
【背景技術】
【０００２】
従来、浴槽への人の入浴を検知して、浴槽への給湯や加熱運転を制御する給湯機としては過去より多くの文献がある（例えば、特許文献１参照）。
【０００３】
前記特許文献１では、人の入浴に伴う浴槽水位の上昇を水位センサで検出し、入浴初期の浴槽温度はややぬる目の４０℃から徐々に高温（例えば４３℃）まで加熱するという制御を行うことで、入浴者の快適性や給湯機の省エネ性を向上している。
【０００４】
また、浴槽への人の入浴の検知手段が浴室リモコンに搭載された給湯機としては、例えば図５に示すようなものがある（例えば、特許文献２参照）。
【０００５】
図５に示すように、安全性を高める目的で、浴室リモコンに焦電型赤外線素子とレンズからなる赤外線人感センサを搭載し、この赤外線人感センサで入浴者の異常を検出し、自動的に外部に通報する機能を備えている。
【特許文献１】特開昭６３−３０６３５２号公報
【特許文献２】特開２００１−１３３０４０号公報
【発明の開示】
【発明が解決しようとする課題】
【０００６】
しかしながら、前記従来の構成には入浴者を検出するための赤外線人感センサを浴室リモコンに設けたということは記述されているものの、浴室という環境において人の検出精度を確保するための赤外線人感センサの構造はもとより、浴室リモコンへの搭載仕様や材質についての配慮は十分に記述されていない。
【０００７】
特に赤外線人感センサを使用する場合、入浴者が浴室内のどこにいる場合でも検出できるために配慮すべきこととして、赤外線人感センサの視野角を大きくとり、かつ人体から放射された赤外線がセンサの検出部に届くまでの途中で遮断や減衰されないような構成及び材料選定をする必要がある。
【０００８】
このように、浴室リモコンに実装する人感センサは、浴室内という空間と入浴者の行動の特性を考慮し、死角が少なくかつ誤検知を防止する必要があるという構造上の課題があった。
【０００９】
本発明は、前記従来の課題を解決するもので、浴室内における人の在室の有無を精度よく検出し、それに基づいて浴槽への給湯や浴槽内の水の加熱を適切に行う省エネルギー性、快適性に優れた給湯機を提供することを目的とする。
【課題を解決するための手段】
【００１０】
前記従来の課題を解決するために、本発明の給湯機は、浴槽と、前記浴槽内の湯水を加熱する浴槽加熱手段と、前記浴槽への湯張りや加熱などの運転操作機能と浴室内における人の存室の有無を検出する赤外線人感センサとを有する浴室リモコンとを備え、前記赤外線人感センサは、人体から放射される赤外線を検出するセンシング部と、前記センシング部を覆い赤外線透過性材料で形成したレンズ部とを有し、前記浴室リモコンの筐体を前記
レンズ部とは異なる材料で形成したことを特徴とするもので、入浴者の有無を簡単な構成で精度よく検出でき、製品の低コスト化を図ることができる。
【発明の効果】
【００１１】
本発明によれば、浴室内における人の在室の有無を精度よく検出し、それに基づいて浴槽への給湯や浴槽内の水の加熱を適切に行う省エネルギー性、快適性に優れた給湯機を提供できる。
【発明を実施するための最良の形態】
【００１２】
第１の発明は、浴槽と、前記浴槽内の湯水を加熱する浴槽加熱手段と、前記浴槽への湯張りや加熱などの運転操作機能と浴室内における人の存室の有無を検出する赤外線人感センサとを有する浴室リモコンとを備え、前記赤外線人感センサは、人体から放射される赤外線を検出するセンシング部と、前記センシング部を覆い赤外線透過性材料で形成したレンズ部とを有し、前記浴室リモコンの筐体を前記レンズ部とは異なる材料で形成したことを特徴とする給湯機で、入浴者の有無を簡単な構成で精度よく検出でき、製品の低コスト化を図ることができる。
【００１３】
更に、赤外線人感センサによる入浴者の有無に応じて、入浴者が浴室に入室したときだけ浴槽内の水の温度を設定値まで速やかに加熱上昇させるなど、必要最小限の浴槽加熱運転が可能になり、省エネと快適性の向上を図ることができる。
【００１４】
第２の発明は、第１の発明の給湯機に、貯湯槽と、前記貯湯槽の湯水を加熱する貯湯槽加熱手段とを備え、浴槽加熱手段は、前記貯湯槽内の湯と前記浴槽内の湯水との熱交換する熱交換であることを特徴とするもので、湯を給湯用として利用するとともに、その熱を浴槽の加熱に有効利用することが可能となって利便性が向上する。
【００１５】
第３の発明は、特に、第２の発明の貯湯槽加熱手段として、ヒートポンプサイクルを用いたことを特徴とするもので、省エネルギー性に優れた給湯機を提供できる。
【００１６】
第４の発明は、特に、第３の発明のヒートポンプサイクルは、運転時、超臨界圧力に昇圧される超臨界冷媒回路であることを特徴とするもので、沸き上げ温度を高温にできるので、利用できる熱量の増大と湯切れ防止性を向上することができる。
【００１７】
第５の発明は、特に、第３または第４の発明のヒートポンプサイクルの冷媒が二酸化炭素であることを特徴とするもので、比較的安価でかつ安定な二酸化炭素を冷媒に使用することで製品コストを抑えるとともに、信頼性を向上させることができる。
【００１８】
また、二酸化炭素はオゾン破壊係数がゼロであり、地球温暖化係数も代替冷媒ＨＦＣ−４０７Ｃの約１７００分の１と非常に小さいため、地球環境に優しい製品を提供できる。
【００１９】
以下、本発明の実施の形態について、図面を参照しながら説明する。なお、この実施の形態によって本発明が限定されるものではない。
【００２０】
（実施の形態１）
図１は本発明の第１の実施の形態における給湯機の構成を示す図である。
【００２１】
図１において、貯湯槽加熱手段としてのヒートポンプユニット２は、貯湯槽１底部の水を高効率ヒートポンプサイクルで加熱した後に貯湯槽１上部に戻すことにより、貯湯槽１に湯を蓄える。浴槽３への湯張りやカラン・シャワーなどの給湯端末１３からの給湯手段は、貯湯槽３上部の湯と水道水とを混合弁１１で混合する方法を採用しており、混合弁１
１、給湯温度を検出する給湯サーミスタ１２などの部品で構成されている。給湯温度の制御は給湯制御手段１４が行っており、給湯サーミスタ１２の検出温度が設定温度になるように混合弁１１の混合比率を変化させている。
【００２２】
また、浴槽３の水を加熱する浴槽加熱手段は、貯湯槽１の湯と浴槽３の湯水を熱交換器４で熱交換する方法を採用しており、貯湯槽３上部の湯を熱交換器４に搬送した後に貯湯槽１底部に戻す第一循環ポンプ５、浴槽３の水を熱交換器４に搬送した後に浴槽３に戻す第二循環ポンプ６、浴槽３の水温を検出する風呂サーミスタ７などの部品で構成されている。
【００２３】
図２は、浴室リモコン９の正面外観図である。図３は、赤外線人感センサ８の構成図である。浴槽３への湯張りや、給湯端末１３からの給湯温度の設定、浴槽３の加熱や温度の設定などの運転操作は、浴室内に設置された浴室リモコン９の操作ボタンにより行う。また、浴室リモコン９内部には、浴室における人の在室の有無を検出する赤外線人感センサ８が搭載されている。
【００２４】
ここで、赤外線人感センサ８の一般的な構成を説明する。図３に示すように、赤外線人感センサ８は、入浴者から発せられる赤外線を検出するセンシング部１５と、前記センシング部１５を覆い赤外線を集光するレンズ部１６とを有している。レンズ部１６は、高密度ポリエチレン樹脂などの赤外線を透過し易い材質（以下、赤外線透過性材料と称する）で構成される。
【００２５】
赤外線人感センサ８は、浴室リモコン９内部の基板等の赤外線センサ設置基準面１７に設置されている。浴室リモコン筐体９ａは、低コストで加工性が良いＡＢＳ樹脂などの材質で構成されるのが一般的である。ＡＢＳ樹脂は、通常、人体が発するような微弱な赤外線は吸収してしまう。
【００２６】
図３に示すように、本実施の形態では、赤外線人感センサ８の前面が浴室リモコン筐体９ａの前面よりも外側に突出するように設置されているため、赤外線人感センサ８の水平視野角Ａを大きくとることができる。従って、入浴者の有無を簡単な構成で精度よく検出することが可能となる。
【００２７】
また、赤外線人感センサ８の一部を浴室リモコン９の外側に突出させることで、赤外線人感センサ８を浴室リモコン９に収納するスペースが少なくて済み、浴室リモコン９を小型・薄型化することもできる。
【００２８】
また、レンズ部１６を赤外線透過性材料で構成し、浴室リモコン筐体９ａを、レンズ部１６とは異なる安価なＡＢＳ樹脂で構成することにより、入浴者の有無を簡単な構成で精度よく検出できるとともに、製品の低コスト化を図ることができる。
【００２９】
以上のように構成された給湯機について、以下その動作、作用を説明する。
【００３０】
従来の浴槽３の自動保温運転では一定時間毎に浴槽３の加熱運転を繰り返していたが、赤外線人感センサ８を利用することで効率的な浴槽３の加熱運転が可能となる。
【００３１】
まず、浴室に人が入ってきたことを赤外線人感センサ８が検出すると、浴槽加熱制御手段１０により浴槽３の加熱運転を開始する。具体的には、第一循環ポンプ５で貯湯槽１上部の高温の湯を熱交換器４を経由して貯湯槽１の底部に搬送すると同時に、第二循環ポンプ６で浴槽３の水を熱交換器４に搬送した後に浴槽３に戻すという動作を行う。
【００３２】
この際、熱交換器４において熱交換が行われて浴槽３内の水が加熱される。なお、浴槽３の加熱運転は、風呂サーミスタ７で検出した水温が風呂設定温度（例えば４２℃）以上になった場合に停止され、浴室に人が不在の間は無駄な浴槽３の加熱運転をなくすことができる。
【００３３】
また、赤外線人感センサ８の一部を浴室リモコン筐体９ａの外側に突出させずに内部に収納した構成を図４に示す。
【００３４】
赤外線人感センサ８を浴室リモコン筐体９ａの内部に収納する場合、浴室内の人体から発生した赤外線をレンズ部１６に導入するための開口部として受光窓９ｂを設けている。この場合、図４には図示していないが、受光窓９ｂとレンズ部１６との隙間から蒸気や水分が浴室リモコン９内部に侵入しないようシール構造を設ける必要がある。また、受光窓９ｂを開口部とせずに、レンズ部１６と同じ赤外線透過性材料で構成することも可能である。
【００３５】
赤外線人感センサ８を浴室リモコン９の内部に収納することにより、浴室リモコン９の前面に突起がなくなり、入浴者が赤外線人感センサ８を他の操作ボタンと間違えて押すことによる故障などを防止することができる。
【００３６】
また、浴室リモコン筐体９ａは従来通りＡＢＳ樹脂成型品を用いて、赤外線人感センサ８のレンズ部１６に受光窓９ｂを設けると共に、レンズ部１６は赤外線透過性材料で構成することにより、比較的低コストで赤外線人感センサ８を浴室リモコン９に搭載することができる。
【００３７】
以上のように、赤外線人感センサ８の前面を浴室リモコン９の前面よりも外側に突出させて設置した場合でも、赤外線人感センサ８を浴室リモコン９の内部に収納した場合でも、レンズ部１６を赤外線透過性材料で構成し、浴室リモコン筐体９ａを、レンズ部１６とは異なる安価なＡＢＳ樹脂で構成することにより、入浴者の有無を簡単な構成で精度よく検出でき、製品の低コスト化を図ることができる。また、赤外線人感センサ８の出力に応じて浴槽３の加熱運転を制御することで、省エネと快適性・利便性の向上を図ることができる。
【００３８】
なお、ヒートポンプユニット２の冷凍サイクルは冷媒として二酸化炭素を用い、臨界圧を越える圧力で運転することが好ましい。二酸化炭素を冷媒として用いることで沸き上げ温度を高温にできるので、利用できる熱量の増大と湯切れ防止性を向上することができる。
【００３９】
比較的安価でかつ安定な二酸化炭素を冷媒に使用することで製品コストを抑えるとともに、信頼性を向上させることができる。また、二酸化炭素はオゾン破壊係数がゼロであり、地球温暖化係数も代替冷媒ＨＦＣ−４０７Ｃの約１７００分の１と非常に小さいため、地球環境に優しい製品を提供できる。
【００４０】
また、浴槽３や給湯端末１３への給湯手段や浴槽３の加熱手段としては、ヒーポンプサイクルの変わりにガスや石油の燃焼式熱源を利用することも可能である。
【産業上の利用可能性】
【００４１】
以上のように、本発明にかかる給湯機は、高い省エネと快適性・利便性を図ることができるので、前記したようなヒートポンプ式給湯機に適用できるほか、ガス・石油などの燃焼式や電気ヒータ式給湯器などにも適用可能である。
【図面の簡単な説明】
【００４２】
【図１】本発明の第１の実施の形態における給湯機の構成図
【図２】同実施の形態における浴室リモコンの正面外観図
【図３】同実施の形態における赤外線人感センサの構成図
【図４】同他の赤外線人感センサの構成図
【図５】従来の給湯機の構成図
【符号の説明】
【００４３】
１  貯湯槽
２  ヒートポンプユニット
３  浴槽
４  熱交換器
８  赤外線人感センサ
９  浴室リモコン
９ａ  浴室リモコン筐体
９ｂ  受光窓
１０  浴槽加熱制御手段
１５  センシング部
１６  レンズ部
１７  赤外線人感センサ設置基準面
【図１】
2010216788.tif 000003
【図２】
2010216788.tif 000004
【図３】
2010216788.tif 000005
【図４】
2010216788.tif 000006
【図５】
2010216788.tif 000007